(57)【特許請求の範囲】
【請求項１】
左右の側板と底板によって収納空間を形成する収納庫本体に、収納空間を上下に分割する、少なくとも１つの棚板を具備し、上下に分割された収納空間のうち、最上段の収納空間を、前面と上面が連続する開口とした開放収納空間とし、キャスターを、収納庫本体の上面側と下面側に選択的に取り付け可能とし、全体をデスクの下方空間に配設しうる高さに設定した物品収納庫において、補助天板が開放収納空間の上方に取り付け可能であると共に、物品収納庫を上下反転して使用した状態で、補助天板を底板の上方に取り付け可能としたことを特徴とする物品収納庫。
【請求項２】
左右の側板と底板によって収納空間を形成する収納庫本体に、収納空間を上下に分割する、少なくとも１つの棚板を具備し、上下に分割された収納空間のうち、最上段の収納空間を、前面と上面が連続する開口とした開放収納空間とし、キャスターを、収納庫本体の上面側と下面側に選択的に取り付け可能とし、全体をデスクの下方空間に配設しうる高さに設定した物品収納庫において、補助天板が開放収納空間の上方に取り付け可能であると共に、収納庫本体の下面側が平坦面に形成されていることを特徴とする物品収納庫。
【請求項３】
左右の側板と底板によって収納空間を形成する収納庫本体に、収納空間を上下に分割する、少なくとも１つの棚板を具備し、上下に分割された収納空間のうち、最上段の収納空間を、前面と上面が連続する開口とした開放収納空間とし、キャスターを、収納庫本体の上面側と下面側に選択的に取り付け可能とし、全体をデスクの下方空間に配設しうる高さに設定した物品収納庫において、補助天板が開放収納空間の上方と底板の下方に選択的に取り付け可能であると共に、物品収納庫を上下反転して使用した状態で、補助天板を底板の上方に取り付け可能としたことを特徴とする物品収納庫。
【発明の詳細な説明】
【技術分野】
【０００１】
本発明は、オフィス等のデスク周辺やデスクの下方に配置されて使用される物品収納庫に関するものである。
【背景技術】
【０００２】
従来より、オフィス等において、デスク周辺に配置されて使用される、物品収納庫が知られている。このような物品収納庫の使用形態としては、デスクの脇に配置されて使用される、デスク脇配置形態と、デスクの下方空間の足元奥に配置されて、足元収納として使用される、デスク下配置形態があり、適宜、執務状況に合わせ、これらの配置形態が使い分けられている。
そして、このような物品収納庫には、デスク脇配置形態とした場合、収納物が取り出しし易いように、上部前面と上面が開放された、オープンタイプのものや、物品収納庫の上面に、補助天板が設けられ、補助テーブルとして使用されるものがある。（例えば、特許文献１、特許文献２参照。）
一方、デスク下配置形態とした場合には、執務者のフットスペースに対して配慮されたものもある。（例えば、特許文献３参照。）
【先行技術文献】
【特許文献】
【０００３】
【特許文献１】特開２００３−１３５１７９号公報
【特許文献２】実開平０６−５５４３６号公報
【特許文献３】特開平１０−９９１４１号公報
【発明の概要】
【発明が解決しようとする課題】
【０００４】
しかしながら、デスク脇配置形態で使用する物品収納庫を、デスク下配置形態にしただけでは、デスクの奥行き寸法と比較して、物品収納庫の奥行き寸法が大きいため、物品収納庫前に、執務者のフットスペースが十分に確保できなくなり、執務者の執務姿勢に無理が生じる、といった問題がある。また、前記のフットスペースに対して配慮したものであっても、執務者のつま先付近が、依然窮屈なままであり、執務姿勢に無理が生じる、といった問題は十分に解決されていない。
このように、デスク脇配置形態とデスク下配置形態どちらの使用形態であっても、使い勝手の良い物品収納庫は提供されてこなかった。
【０００５】
本発明は、このような問題点に鑑み、デスク脇配置形態とデスク下配置形態どちらの使用形態であっても、使い勝手の良い物品収納庫を提供することを課題とする。
【課題を解決するための手段】
【０００７】
次に、上記課題を解決する為、本発明が第１の手段として構成したところは、左右の側板と底板によって収納空間を形成する収納庫本体に、収納空間を上下に分割する、少なくとも１つの棚板を具備し、上下に分割された収納空間のうち、最上段の収納空間を、前面と上面が連続する開口とした開放収納空間とし、キャスターを、収納庫本体の上面側と下面側に選択的に取り付け可能とし、全体をデスクの下方空間に配設しうる高さに設定した物品収納庫において、補助天板が開放収納空間の上方に取り付け可能であると共に、物品収納庫を上下反転して使用した状態で、補助天板を底板の上方に取り付け可能としたものである。
【０００８】
次に、上記課題を解決するため本発明の第２の手段として構成したところは、左右の側板と底板によって収納空間を形成する収納庫本体に、収納空間を上下に分割する、少なくとも１つの棚板を具備し、上下に分割された収納空間のうち、最上段の収納空間を、前面と上面が連続する開口とした開放収納空間とし、キャスターを、収納庫本体の上面側と下面側に選択的に取り付け可能とし、全体をデスクの下方空間に配設しうる高さに設定した物品収納庫において、補助天板が開放収納空間の上方に取り付け可能であると共に、収納庫本体の下面側が平坦面に形成されているものである。
【０００９】
次に、上記課題を解決するため本発明の第３の手段として構成したところは、左右の側板と底板によって収納空間を形成する収納庫本体に、収納空間を上下に分割する、少なくとも１つの棚板を具備し、上下に分割された収納空間のうち、最上段の収納空間を、前面と上面が連続する開口とした開放収納空間とし、キャスターを、収納庫本体の上面側と下面側に選択的に取り付け可能とし、全体をデスクの下方空間に配設しうる高さに設定した物品収納庫において、補助天板が開放収納空間の上方と底板の下方に選択的に取り付け可能であると共に、物品収納庫を上下反転して使用した状態で、補助天板を底板の上方に取り付け可能としたものである。
【発明の効果】
【００１１】
請求項１に記載の発明によると、デスク脇配置形態において、上部前面と上面が開放された、オープンタイプの移動式の物品収納庫として使用できる。そして、収納庫本体の下面側に設けたキャスターを、収納庫本体の上面側に付け替えた後、物品収納庫を、上下反転させることにより、棚板で、上下に分割した収納空間のうち、最上段の前面と上面を連続する開口とした開放収納空間が、下部に位置する。この状態で、物品収納庫を、デスク下配置形態とした場合、前記の下部に位置した開放収納空間を、執務者のフットスペースとして利用することができ、棚板と底板間の上部空間を、収納部として使用できるので、執務者の執務姿勢を損ねることがなく、デスクの下方空間で足元収納として使用することができる。
さらに、デスク下配置形態の物品収納庫を、デスク下方より引き出し、物品収納庫の上方に、補助天板を取り付けたり、デスク脇配置形態で、オープンタイプの物品収納庫の上方に補助天板を取り付ければ、移動式の補助テーブルとしても使用できる。
【００１２】
請求項２に記載の発明によると、デスク脇配置形態において、上部前面と上面が開放された、オープンタイプの移動式の物品収納庫として使用できる。そして、収納庫本体の下面側に設けたキャスターを、収納庫本体の上面側に付け替えた後、物品収納庫を、上下反転させることにより、棚板で、上下に分割した収納空間のうち、最上段の前面と上面を連続する開口とした開放収納空間が、下部に位置する。この状態で、物品収納庫を、デスク下配置形態とした場合、前記の下部に位置した開放収納空間を、執務者のフットスペースとして利用することができ、棚板と底板間の上部空間を、収納部として使用できるので、執務者の執務姿勢を損ねることがなく、デスクの下方空間で足元収納として使用することができる。
そして、デスク下配置形態の物品収納庫を、デスク下方より引き出すと、上下反転された収納庫本体の上面側（天地反転前の下面側）が、平滑面を成しているので、収納庫本体の上面を天板面とした、移動式の補助テーブルとしても利用できるし、デスク脇配置形態で、オープンタイプの物品収納庫の上方に補助天板を取り付ければ、移動式の補助テーブルとしても使用できる。
【００１３】
請求項３に記載の発明によると、デスク脇配置形態において、上部前面と上面が開放された、オープンタイプの移動式の物品収納庫として使用でき、そして、物品収納庫の下方に取り付けている補助天板を、取り外し、物品収納庫の上方に取り付けることができるので、物品収納庫を、移動式の補助テーブルとして使用可能である。
さらに、補助天板を、物品収納庫の上方から取り外し、物品収納庫の下方に取り付け、収納庫本体の下面側に設けたキャスターを、収納庫本体の上面側に付け替えた後、物品収納庫を、上下反転させることにより、棚板で、上下に分割した収納空間のうち、最上段の前面と上面を連続する開口とした開放収納空間が下部に位置する。この状態で、物品収納庫を、デスク下配置形態とした場合、前記の下部に位置した開放収納空間を、執務者のフットスペースとして利用することができ、棚板の上部空間を、収納部として使用できるので、執務者の執務姿勢を損ねることがなく、デスクの下方空間で足元収納として使用することができる。
そして、デスク下配置形態の物品収納庫をデスク下方より引き出すと、上下反転された物品収納庫の上方（天地反転前の下方）に、補助天板が取り付けられているので、補助テーブルとして利用することができる。
このように、物品収納庫の上方より取り外した補助天板は、収納庫本体の下方に取り付けられるので、物品収納庫をデスク下配置形態とした場合であっても、補助テーブルとして活用できるだけでなく、補助天板の置き場所に困らない。
【図面の簡単な説明】
【００１４】
【図１】本発明の物品収納庫をデスクと共に使用した一例を示す斜視図である。
【図２】本発明の第１実施例の物品収納庫の要部分解斜視図である。
【図３】本発明の第１実施例の物品収納庫の正面図である。
【図４】図３のＡ−Ａ線断面図である。
【図５】図３のＢ−Ｂ線断面図である。
【図６】図５のＣ−Ｃ線断面図である。
【図７】図４のＤ部拡大図である。
【図８】図５のＥ部拡大図である。
【図９】図６のＦ部拡大図である。
【図１０】図６のＧ部拡大図である。
【図１１】本発明の物品収納庫の棚受け座と棚板の状態を示す要部分解斜視図である。
【図１２】本発明の第２実施例の物品収納庫の要部分解斜視図である。
【図１３】本発明の第２実施例の物品収納庫をオープンタイプとして使用した状態を示す斜視図である。
【図１４】本発明の第２実施例の物品収納庫をデスク下配置形態として使用した状態を示す斜視図である。
【図１５】本発明の第２実施例の物品収納庫を補助テーブルとして使用した状態を示す斜視図である。
【図１６】本発明の第２実施例の物品収納庫の底板の下面側に補助天板が保持されているところを示す要部拡大正面断面図である。
【図１７】本発明の第２実施例の物品収納庫の底板の下面側に補助天板が保持されているところを示す要部拡大側面断面図である。
【図１８】本発明の第３実施例の物品収納庫の使用状態を示す要部断面図である。
【図１９】本発明の第４実施例の物品収納庫の各使用形態を示す要部断面図である。
【発明を実施するための形態】
【００１５】
左右の側板と底板によって収納空間を形成する収納庫本体に、収納空間を上下に分割する、少なくとも１つの棚板を具備し、上下に分割された収納空間のうち、最上段の収納空間を、前面と上面が連続する開口とした開放収納空間とし、キャスターを収納庫本体の上面側と下面側に選択的に取り付け可能で、全体をデスクの下方空間に配設しうる高さに設定した物品収納庫である。
【００１６】
以下、実施例を添付図面に基づいて詳述する。
本発明に係る物品収納庫１は、図１に示すように、オフィスで使用されるデスクＤの脇や、物品収納庫１の一部あるいは全部を、デスクＤの下方空間Ｄ1に収容し使用するものである。
【実施例１】
【００１７】
第１実施例の物品収納庫１は、図２に示すように、左右の側板３、３と、背板４と、底板５によって収納空間が形成される収納庫本体２に、収納空間を上下に分割する棚板６が、着脱自在に具備され、底板５の下面側には、キャスター１２・・・が着脱自在に設けられ、全体が、デスクＤの下方空間Ｄ1に配置できる高さに設定され、棚板６で分割された収納空間のうち、最上段の収納空間には、前面と上面が連続して開口した開放収納空間７を有し、主に薄板鉄板に曲げ加工を施し製作されるものである。
尚、棚板６で分割された収納空間の最上段以外の前面開口部には、引き戸式扉や、開き戸式扉、シャッター式扉などの閉塞手段を設けてもよい（図示せず）。
【００１８】
左右の側板３、３は、それぞれ上、下、前端部を、内方に略Ｌ字形に折り曲げ、さらに先端部の所定箇所を、それぞれ下方側・上方側・後方側に折り曲げた、略コの字状の上曲縁３１１と、下曲縁３１２と、前曲縁３１３を有する側表面板３１と、側表面板３１の内面前端部に、上下方向に配設された側前縦補強材３２と、側表面板３１の内面後端部寄りに配設された、側後縦補強材３３を有し、側前縦補強材３２と側後縦補強材３３には、棚板受け座９を係止させるための、複数の係止孔３２１・・・・・・、３３１・・・・・・が上下方向に形成されている。
【００１９】
側表面板３１の上曲縁３１１内面には、上曲縁３１１の最先端片に内接する、保持片１０１と、上曲縁３１１の端面３１４を覆う端部被覆部１０２と、上曲縁３１１内面に形成された開口部３１５を閉塞する、閉塞部１０３と、側表面板３１に内接する支持片１０４を有する側板端部カバー１０が配設されている。
この側板端部カバー１０によって、後述する物品収納庫１の上下反転時に、執務者が、端面３１４で足裏を切るといったことを防止し、安全性を高めることができると共に、左右の側板３、３の上端部の補強を成している。
【００２０】
そして、側板３、３の上面３１６と下面３１７には、キャスター１２・・・が取り付けられるように、螺孔３１８・・・、３１９・・・・・・が形成されており、通常、上面３１６の螺孔３１８・・・は、螺子１３・・・が螺合され塞がれており、下面３１７の螺孔３１９・・・には、キャスター１２・・・螺合され取り付けられている。
尚、キャスター１２・・・は、ロック機能付のものを使用してもよく、キャスターの代わりにアジャスターを用いても構わない。
【００２１】
背板４の上曲縁４１１、下曲縁４１２も、側板３の上下曲縁３１１、３１２と同形態のため、詳述を省略する。背板端部カバー１１も、側板端部カバー１０と同形態であり同様に配設され、同じ効果を有するので詳述を省略する。
【００２２】
第１実施例では、左右の側板３、３と背板４は横向き略コ字形に一体的に形成されているが、左右の側表面板３１、３１と背表面板４１を連設させなくとも、左右の側板３、３と背板４をそれぞれ別体とし、溶接等の方法により連結しても構わない。このように、それぞれ別体とした場合、執務形態に合わせて、背板４を省き、左右の側板３、３と底板５と棚板６で収納空間を形成し、前後両面から収納物を取り出せるようにすることも可能である。
【００２３】
底板５は、左、右、後端部を、下方に略Ｌ字形に折り曲げた側曲縁５１１・・と、前端部を、下方に略Ｌ字形に折り曲げ、さらに先端部の所定箇所を、後方側に折り曲げた、略コの字状の前曲縁５１２を有する、底表面板５１と、底表面板５１の下面側前後両端部寄りに左右方向に配設された、底板補強材５２、５２とで形成されている。
そして底板５は、側表面板３１、３１と背表面板４１の下端部付近内面に、溶接によって取り付けられて、収納空間の底面を形成している。
【００２４】
棚板６は、収納庫本体２の収納空間と、平面視略同一寸法の棚板表面板６１と、棚板表面板６１の前後左右端部を、下方に略Ｌ字形に折り曲げ、さらに先端部の所定箇所を、それぞれ内方に折り曲げた、略コの字状の曲縁６１１・・・を有している。
【００２５】
棚板受け座９は、側前縦補強材３２、あるいは、側後縦補強材３３の係止孔３２１・・・、３３１・・・が設けられた外面に接する基板９１と、基板９１の一部を切り起こした下向きの係止爪９２と、係止爪９２の切り起こし側と反対側に、基板９１下端部から水平に突出せしめた載置片９３と、棚板６の厚さよりやや薄い寸法分、載置片９３先端から上方に突出せしめた係止片９４とで構成される。
棚板受け座９・・・は、左右の側前縦補強材３２、３２の所望の高さの係止孔３２１・・・、３２１、及び、左右の側後縦補強材３３、３３の所望の高さの係止孔３３１・・・、３３１・・・に係止爪９２が上方から係止して物品収納庫１の内方の４隅に配設される。
そして、この棚板受け座９・・・の載置片９３・・・に、棚板６の左右端部下面を載置させ、棚板６を着脱自在に取り付ける。
【００２６】
棚板６は上記の如く着脱自在に取り付けられているので、物品収納庫１を上下反転させた状態で使用する場合は、一旦取り外した棚板受け座９を、上下反転した側前縦補強材３２、側後縦補強材３３の係止孔３２１・・・、３３１・・・対して上方より係止させ、棚板６を再び支持することにより対応できる。
尚、棚板６は、螺子などによって固定式とし、容易に取り外しできないように配設し、棚板の上面と下面の両面を、棚板の載置面として施したものであっても構わない。
【００２７】
本発明の第１実施例の物品収納庫１は、上記の如く構成され、通常、デスク脇配置形態で、上部前面と上面が開放されたオープンタイプの物品収納庫として使用される。
【００２８】
一方、物品収納庫１を、デスク下方配置形態として使用する場合は、物品収納庫１の棚板６と棚板受け座９・・・、ならびに物品収納庫１の上面３１６の螺孔３１８・・・を塞ぐ螺子１３・・・を取り外す。
次に、物品収納庫１を倒し、下面３１７に取り付けられているキャスター１２・・・を取り外し、螺子１３・・・を取り外した上面３１６側の螺孔３１８・・・に、取り外したキャスター１２・・・を取り付ける。
次に、キャスター１２・・・を取り外した螺孔３１９・・・・・・に前記螺子１３・・・を取り付け、物品収納庫１を上下反転した状態に起立させる。
次に、棚板受け座９・・・を所定の係止孔３２１・・・、３２１・・・、３３１・・・、３３１・・・に係止させ、棚板６を載置する。
【００２９】
このように組み替えられた物品収納庫１は、棚板６と底板５間の上方空間を収納部として使用できるだけではなく、上部に設けられていた開放収納空間７が下部に反転移動することにより、開放収納空間７が、収納庫本体２の奥行き寸法と略等しい奥行きを持つフットスペースとして、利用できるようになるので、物品収納庫１を、デスクＤの下方空間Ｄ１に配設しても、執務者の執務姿勢を損ねることがなく、デスクＤの下方空間Ｄ１で、足元収納として使用することができる。
また、開放収納空間７の高さを、棚板６の取り付け位置によって自由に設定できるので、フットスペースの高さと収納部とのバランスを考慮した調整が可能である。
【実施例２】
【００３０】
次に、本発明の第２実施例を説明する。
なお、以下の第２実施例において、前述の第１実施例と同様の構造部分に関しては、同一の符号を付すことにより詳細な説明は省略することにする。
【００３１】
第２実施例の物品収納庫１は、図３に示すように、左右の側板３、３と、背板４と、底板５によって収納空間が形成される収納庫本体２に、棚板６が、棚板受け座９・・・を介して着脱自在に具備され、底板５の下面側には、補助天板８とキャスター１２・・・が着脱自在に設けられ、全体が、デスクＤの下方空間Ｄ1に配置できる高さに設定され、棚板６で分割された最上段の収納空間には、開放収納空間７を有し、主に薄板鉄板に曲げ加工を施し製作されるものである。
尚、棚板６で分割された収納空間の最上段以外の前面開口部には、実施例１と同様に閉塞手段を設けてもよい（図示せず）。
【００３２】
側板３、３の上面３１６の螺孔３１８・・・を塞ぐ螺子１３・・・は、後述する補助天板８を、側板３、３の上面３１６、あるいは下面３１７で、挟持できる長さで設定される。
【００３３】
底板５の下面側には、補助天板８が着脱自在に配設されおり、底板５の下面を隠蔽している。
【００３４】
補助天板８は、底板５と前後寸法が略同一寸法であって、左右方向で左右の側板下面に左右端部が位置する大きさの寸法であって、表面（物品収納庫１の下面側）が平坦な表面板８１と、表面板８１の前後左右端部を、上方に略Ｌ字形に折り曲げ、さらに先端部の所定箇所を、それぞれ内方に折り曲げた略コの字状の曲縁８１１・・・を有し、左右両端部の前後方向に配設される、補強材８２、８２とで形成されている。
補助天板８には、前述の螺孔３１８・・・、３１９・・・に対応した貫通孔８１２・・・が設けられている。
補助天板８は、このような形態にとらわれず、厚板材を前述と同様の寸法に形成し、螺孔３１８・・・、３１９・・・に対応した貫通孔を設けた、木製平板状のものでも構わない。この場合、補強材８２、８２は不要である。
【００３５】
補助天板８は、側板３、３の下面と、その下面３１７・・・の螺孔３１９・・・に螺合されるキャスター１２・・・間に挟まれ、キャスター１２・・・の取り付け螺子を締めこむことによって、挟持されている。したがって、キャスター１２・・・を、側板３より取り外すことによって、補助天板８を、底板５下面側、すなわち、物品収納庫１の下面側から分離することができる。
尚、キャスター１２・・・は、第一実施例と同様に、ロック機能付のものでも、代わりにアジャスターを用いても構わない。
【００３６】
本発明の第２実施例の物品収納庫１は、上記の如く構成され、通常、デスク脇配置形態で、上部前面と上面が開放されたオープンタイプの物品収納庫として使用される。
【００３７】
一方、物品収納庫１を、デスク下方配置形態として使用する場合は、物品収納庫１の棚板６と棚板受け座９・・・、ならびに物品収納庫１の上面３１６の螺孔３１８・・・を塞ぐ螺子１３・・・を取り外す。
次に、物品収納庫１を倒し、下面３１７に取り付けられているキャスター１２・・・を取り外し、螺子１３・・・を取り外した上面３１６側の螺孔３１８・・・に、取り外したキャスター１２・・・を取り付ける。
次に、キャスター１２・・・を取り外した螺孔３１９・・・に、前記螺子１３・・・を取り付けることで、キャスター１２にかわって、補助天板８を底板５の下面側に取り付けられた状態のまま維持し、物品収納庫１を上下反転した状態に起立させ、補助天板８を上面に位置させる。
次に、棚板受け座９・・・を所定の係止孔３２１・・・、３２１・・・、３３１・・・、３３１・・・に係止させ、棚板６を載置する。
【００３８】
このように組み替えられた物品収納庫１は、棚板６と底板５間の上方空間を収納部として使用できるだけではなく、上部に設けられていた開放収納空間７が下部に反転移動することにより、開放収納空間７が、収納庫本体２の奥行き寸法と略等しい奥行きを持つフットスペースとして、利用できるようになるので、物品収納庫１を、デスクＤの下方空間Ｄ１に配設しても、執務者の執務姿勢を損ねることがなく、デスクＤの下方空間Ｄ１で、足元収納として使用することができる。
また、開放収納空間７の高さを、棚板６の取り付け位置によって自由に設定できるので、フットスペースの高さと収納部とのバランスを考慮した調整が可能である。
そして、物品収納庫１を、デスクＤの下方空間Ｄ１より引出し、デスク脇に配設した場合、物品収納庫１の上面は、補助天板８によってそのまま補助テーブルとして使用できる。
【００３９】
他方、デスク脇配置形態の、上部前面と上面が開放されたオープンタイプの物品収納庫１を、補助テーブルとして使用する場合は、物品収納庫１の下面のキャスター１２・・・を、一旦、取り外し、挟持保持されていた補助天板８を取り外し、再びキャスター１２・・・を元の位置に付け直す。
次に、物品収納庫１の上面３１６に取り付けられた螺子１３・・・を、一旦、取り外し、取り外した補助天板８を、上下反転させ、物品収納庫１の上面３１６に、螺孔３１８・・・、螺子１３・・・にて取り付ける。
したがって、物品収納庫１は、棚板６で上段、下段に仕切られた収納空間を、そのまま収納空間として使用できる状態で、物品収納庫１の下面より取り外された補助天板８が、物品収納庫１の上面に取り付けられ、補助テーブルとして使用できるようになる。
尚、補助天板８は、後記するように、物品収納庫１の上面に装着する際、連結金具８０、８０を介して、デスク天板と面一となるようにしてもよい。
【００４０】
第２実施例では、キャスターの取り付けに使用される螺孔と、補助天板の取り付けに使用される螺孔を共用できるよう、物品収納庫の上下面に、螺孔３１８・・・、螺孔３１９・・・として形成しているので構造が簡単で安価に製作でき、組み替え作業も容易である。
さらに、補助天板８を使用しないときは、物品収納庫１の下面側に取り付けるようにしているので、収納場所に困ることなく、かつ見栄えがよい。
【００４１】
次に図１８に基づいて、本発明の第３実施例の物品収納庫１について説明する。
補助天板８は、第２実施例では物品収納庫１の下面側に取り付けられているが、第３実施例の補助天板８は、第２実施例の補助天板８と同形、あるいは、所定の大きさに形成され、物品収納庫1の側板３や背板４に着脱自在に取り付けられるか、あるいは、物品収納庫１と関係のない他の場所に保管され、補助テーブル７として使用する際に、所定の高さの連結金具８０、８０を介して連結し、デスクの天板と面一の高さとして使用することも出来る。
【００４２】
次に図１９に基づいて、本発明の第４実施例の物品収納庫１について説明する。
第４実施例の補助天板８は、側板３や背板４と連結された上下調節可能な連結支持具８００を介して、図１９（Ａ）に示すように、物品収納庫１の開放収納空間７の上方や、図１９（Ｂ）に示すように、物品収納庫１の上面、あるいは、図１９（Ｃ）に示すように、上下反転して使用された物品収納庫１の上方や、図１９（Ｄ）に示すように、物品収納庫１の下面に、取り付けられる。
【産業上の利用可能性】
【００４３】
以上のように、本発明は、デスク脇やデスクの下方空間で使用される物品収納庫にかかわるものであり、上部前面と上面が開放された、いわゆるオープンタイプの物品収納庫を執務者のフットスペースを確保した、デスク下方空間の足元収納に組み替えが可能であるばかりか、オープンタイプの物品収納庫を補助天板付の物品収納庫にも組み替えが可能であり、様々な使用環境に合わすことができ、事務所等の執務空間の移動式の物品収納庫として広く利用することができる。
【符号の説明】
【００４４】
Ｄ                デスク
Ｄ１              デスクの下方空間
１                物品収納庫
２                収納庫本体
３                側板
５                底板
６                棚板
７                開放収納空間
８                補助天板
１２              キャスター
【図１】
0005563401.tif 000002
【図２】
0005563401.tif 000003
【図３】
0005563401.tif 000004
【図４】
0005563401.tif 000005
【図５】
0005563401.tif 000006
【図６】
0005563401.tif 000007
【図７】
0005563401.tif 000008
【図８】
0005563401.tif 000009
【図９】
0005563401.tif 000010
【図１０】
0005563401.tif 000011
【図１１】
0005563401.tif 000012
【図１２】
0005563401.tif 000013
【図１３】
0005563401.tif 000014
【図１４】
0005563401.tif 000015
【図１５】
0005563401.tif 000016
【図１６】
0005563401.tif 000017
【図１７】
0005563401.tif 000018
【図１８】
0005563401.tif 000019
【図１９】
0005563401.tif 000020